(57)【要約】【課題】  従来の基地局装置における負担が大きいという問題点を解決し、基地局装置が加入者基地局に対する受信レベルＲＳＳＩを加入者基地局に送信し、加入者基地局側で最適な送信電力を計算することによって、基地局装置側の負荷を軽減できる送信電力制御方法及び無線アクセスシステムを提供する。【解決手段】  基地局装置１で、任意の加入者基地局２からの受信レベルを測定して加入者基地局２に送信し、加入者基地局２で、最適な受信レベルを予め記憶しておき、基地局装置１から送信される受信レベルと最適な受信レベルとの差分に応じて送信電力を調整する送信電力制御方法及び無線アクセスシステムである。【選択図】        図１
2008167500.tif 000002
【特許請求の範囲】
【請求項１】
複数の加入者基地局装置の中の１つの加入者基地局装置から基地局装置への送信電力制御方法であって、
前記基地局装置が前記加入者基地局装置からの受信レベルを測定し、前記測定結果を前記加入者基地局装置に送信し、前記加入者基地局装置が、前記測定結果から前記基地局装置における受信レベルが最適となるように送信電力を調整することを特徴とする送信電力制御方法。
【請求項２】
基地局装置における受信レベルの測定結果の送信方法が、前記測定結果をデジタル値に変換し、前記デジタル値をＡＣＫ情報送信フレームに含めて送信する方法であることを特徴とする請求項１記載の送信電力制御方法。
【請求項３】
加入者基地局装置で、基地局装置における受信レベルが最適となるように送信電力を調整する方法が、前記基地局装置における最適な受信レベルを予め記憶しておき、前記基地局装置から送信される受信レベルの測定結果と前記最適な受信レベルとの差分を求め、前記差分に応じて、送信電力を調整する方法であることを特徴とする請求項１又は請求項２記載の送信電力制御方法。
【請求項４】
基地局装置と複数の加入者基地局装置を有する無線アクセスシステムであって、
前記基地局装置が、任意の加入者基地局装置からの受信レベルを測定し、前記測定結果を前記加入者基地局装置に送信する基地局装置であり、前記加入者基地局装置が、前記基地局装置から送信される測定結果に従い、前記基地局装置で最適な受信レベルとなるように送信電力を調整する加入者基地局装置であることを特徴とする無線アクセスシステム。
【請求項５】
基地局装置と複数の加入者基地局装置を有する無線アクセスシステムであって、前記基地局装置が、任意の加入者基地局装置からの受信レベルを測定する受信レベル測定手段と、前記測定結果をデジタル値に変換する変換手段と、前記変換結果をＡＣＫ情報送信フレームに含めて送信する送信手段とを有する基地局装置であり、前記加入者基地局装置が、前記基地局装置から送信される測定結果を受信する受信手段と、前記測定結果と予め記憶している前記基地局装置における最適な受信レベルとから、送信レベルの設定データを算出する送信レベル設定手段と、前記設定データに従って送信レベルを制御する送信レベル制御手段とを有する加入者基地局装置であることを特徴とする無線アクセスシステム。
【発明の詳細な説明】
【技術分野】
【０００１】
本発明は、加入者回線による無線アクセスシステムに係り、特に加入者基地局側で最適な送信電力を計算して基地局装置側の負担を軽減できる送信電力制御方法及び無線アクセスシステムに関する。
【背景技術】
【０００２】
従来の無線アクセスシステムには、ＷＬＬ（Wireless Local Loop）あるいはＦＷＡ（Fixed Wireless Access）と呼ばれる無線を使った加入者回線がある。このうち電気通信事業者が設置する基地局と複数の利用者宅地側に設置される加入者（基地）局とを結ぶ無線伝送路により構成される１対多方式の無線設備は、Ｐ−ＭＰ（Point-Multi Point）方式と呼ばれている。
【０００３】
Ｐ−ＭＰ方式は準ミリ波帯、ミリ波帯といった高い周波数を使用し、高利得なアンテナを用いて見通し内の通信を行うもので、この標準規格は社団法人電波産業会で定めたＡＲＩＢ（Association of Radio Industries and Business）−ＳＴＤ５９で規格化されているものである。この標準規格によれば、周波数は２２ＧＨｚ帯／２６ＧＨｚ帯／３８ＧＨｚ帯であるため、降雨・降雪などの天候状況に影響を受けやすく、無線回線のＣ／Ｎ値劣化を及ぼすため基地局装置及び加入者基地局における回線の安定化は重要な問題となっている。
【０００４】
また、特に基地局装置においては、多数の加入者基地局からの上り回線の無線信号を受信するので、セル内の他の加入者基地局とのチャネルによる干渉や、自通信のマルチパスからの干渉を受けやすく、伝送路条件の悪化に対応できる送信電力を必要とする一方で、干渉を避けるために必要最小限の送信電力に抑える制御も必要である。
【０００５】
次に、従来の無線アクセスシステムの構成及び上り回線の送信電力制御に関連する動作について図６を使って説明する。図６は、従来の無線アクセスシステムのシステム構成図である。従来の無線アクセスシステムは、図６に示すように、基地局装置（ＢＳＥ）１′と、複数の加入者基地局（ＢＳＥ）２′と、複数の加入者局３とから構成されている。
【０００６】
次に、従来の無線アクセスシステムを構成する各部について具体的に説明する。基地局装置（ＢＳＥ）１′は、任意の加入者基地局２′と無線通信を行うものである。そして、上り回線の送信電力制御に関しては、予め最適受信レベルを記憶しており、任意の加入者基地局２′から送信されたデータを受信して受信レベルＲＳＳＩ（Received Signal Strength Indicator）を測定し、受信レベルＲＳＳＩと記憶している最適受信レベルとをもとに最適な送信電力を計算して、加入者基地局２′に対して送信レベルの増減を指令する送信レベルコントロール指示を送信するようになっていた。ここで、送信レベルコントロール指示は、単に送信電力を上げる指示又は下げる指示の場合もあるし、具体的な数値をもって送信電力の増加又は減少を指示する場合もある。
【０００７】
加入者基地局（ＣＰＥ）２′は、基地局装置１′と無線通信を行うもので、上り回線の送信電力制御に関しては、基地局装置１′にデータを送信する際には、基地局装置１′から送信される送信レベルコントロール指示に従って、送信レベルを増減して、最適な送信レベルを保つようになっていた。
【０００８】
加入者局３は、利用者が使用する端末装置であり、利用者宅地側に設置され、加入者基地局２′を介して基地局装置１′と接続されて、通信を行うものである。
【０００９】
次に、従来の無線アクセスシステムにおける上り回線の送信電力制御方法について説明する。従来の無線アクセスシステムにおける上り回線の送信電力制御方法は、加入者基地局２′からデータが送信されると、基地局装置１′によってデータが受信され、その際に受信レベルＲＳＳＩが測定され、基地局装置１′に記憶されている最適受信レベルと測定された受信レベルＲＳＳＩとを比較して最適かどうか判断し、最適でない場合に、最適受信レベルと測定された受信レベルＲＳＳＩの大小関係又はその差分に伴い送信レベルの増減を指令する送信レベルコントロール指示が加入者基地局２′に送信される。そして、加入者基地局２′によって送信レベルコントロール指示が受信されると、当該指示に従って、送信レベルを増減して基地局装置１′にデータが送信される。
【００１０】
尚、無線アクセスシステムに関する送信電力制御の従来技術としては、平成５年（１９９３年）１１月１２日公開の特開平５−３０００６６号「見通し内多方向多重加入者無線通信方式」（出願人：日本電気株式会社、発明者：別所裕一郎）がある。この従来技術は、障害が生じた中継局の下位局で、正常な上位局と通信するためにアンテナ方向制御や送信電力制御機能を行うことにより、障害復旧時まで下位局の機能を正常に保ち、加入者へのサービス停止時間を最小限に抑えることができるものである。
【００１１】
【特許文献１】特開平５−３０００６６号公報
【発明の開示】
【発明が解決しようとする課題】
【００１２】
しかしながら、従来の送信電力制御方法及び無線アクセスシステムでは、基地局装置が多数の加入者基地局に対して、それぞれ受信レベルＲＳＳＩが最適かどうか判断し、最適でない場合は最適な送信レベルにするための送信レベルコントロール指示を加入者基地局に送信するので、特に加入者基地局が多い場合、基地局装置における負担が大きいという問題点があった。特に、ＦＷＡ装置では、データ通信速度がきわめて高速であるため、データ通信の為の処理に要するＣＰＵパワーは大きく、それ以外の処理の軽減が望まれていた。
【００１３】
本発明は上記実情に鑑みて為されたもので、基地局装置が受信レベルＲＳＳＩの測定結果を加入者基地局に送信し、加入者基地局側で最適な送信電力を計算することによって、基地局装置側の負荷を軽減できる送信電力制御方法及び無線アクセスシステムを提供することを目的とする。
【課題を解決するための手段】
【００１４】
上記従来例の問題点を解決するための本発明は、複数の加入者基地局装置の中の１つの加入者基地局装置から基地局装置への送信電力制御方法であって、基地局装置が加入者基地局装置からの受信レベルを測定し、測定結果をデジタル値に変換して、デジタル値をＡＣＫ情報送信フレームに含めて加入者基地局に送信し、加入者基地局装置が、基地局装置における最適な受信レベルを予め記憶しておき、基地局装置から送信される受信レベルの測定結果と最適な受信レベルとの差分を求め、差分に応じて送信電力を調整するものなので、基地局装置側の負荷を軽減できる。
【００１５】
上記従来例の問題点を解決するための本発明は、基地局装置と複数の加入者基地局装置を有する無線アクセスシステムであって、基地局装置が、任意の加入者基地局装置からの受信レベルを測定する受信レベル測定手段と、測定結果をデジタル値に変換する変換手段と、変換結果をＡＣＫ情報送信フレームに含めて送信する送信手段とを有する基地局装置であり、加入者基地局装置が、基地局装置から送信される測定結果を受信する受信手段と、測定結果と予め記憶している基地局装置における最適な受信レベルとから、送信レベルの設定データを算出する送信レベル設定手段と、設定データに従って送信レベルを制御する送信レベル制御手段とを有する加入者基地局装置であるとするものなので、基地局装置側の負荷を軽減できる。
【発明の効果】
【００１６】
本発明によれば、複数の加入者基地局装置の中の１つの加入者基地局装置から基地局装置への送信電力制御方法であって、基地局装置が加入者基地局装置からの受信レベルを測定し、測定結果をデジタル値に変換して、デジタル値をＡＣＫ情報送信フレームに含めて加入者基地局に送信し、加入者基地局装置が、基地局装置における最適な受信レベルを予め記憶しておき、基地局装置から送信される受信レベルの測定結果と最適な受信レベルとの差分を求め、差分に応じて送信電力を調整する送信電力制御方法としているので、基地局装置側の負荷を軽減できる効果がある。
【００１７】
本発明によれば、基地局装置と複数の加入者基地局装置を有する無線アクセスシステムであって、基地局装置が、受信レベル測定手段で任意の加入者基地局装置からの受信レベルを測定し、変換手段で測定結果をデジタル値に変換して、送信手段で変換結果をＡＣＫ情報送信フレームに含めて送信し、加入者基地局装置が、基地局装置から送信された測定結果を受信手段で受信し、送信レベル設定手段で測定結果と予め記憶している基地局装置における最適な受信レベルとから、送信レベルの設定データを算出し、送信レベル制御手段で設定データに従って送信レベルを制御する無線アクセスシステムとしているので、基地局装置側の負荷を軽減できる効果がある。
【発明を実施するための最良の形態】
【００１８】
本発明の実施の形態について図面を参照しながら説明する。
本発明の実施の形態について図面を参照しながら説明する。尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１９】
本発明に係る送信電力制御方法及び無線アクセスシステムは、複数の加入者基地局装置の中の１つの加入者基地局装置から基地局装置への送信電力制御であって、基地局装置が加入者基地局装置からの受信レベルを測定し、測定結果をデジタル値に変換し、デジタル値をＡＣＫ情報送信フレームに含めて送信し、加入者基地局装置が、基地局装置における最適な受信レベルを予め記憶しておき、基地局装置から送信される受信レベルの測定結果と最適な受信レベルとの差分を求め、差分に応じて送信電力を調整するので、基地局装置側の負荷を軽減できるものである。
【００２０】
まず、本発明の無線アクセスシステムの構成及び上り回線の送信電力制御方法の概要について図１を使って説明する。図１は、本発明の実施の形態に係る無線アクセスシステムのシステム構成図である。尚、図６と同様の構成をとる部分については同一の符号を付して説明する。本実施の無線アクセスシステムは、図１に示すように、基地局装置（ＢＳＥ）１と、複数の加入者基地局（ＢＳＥ）２と、複数の加入者局３とから構成されている。
【００２１】
次に、本発明の無線アクセスシステムを構成する各部について具体的に説明するが、加入者局３は、従来と同様であるので説明を省略する。基地局装置（ＢＳＥ）１は、従来と同様に、任意の加入者基地局２と無線通信を行うものであるが、上り回線の送信電力制御に関しては、本発明の特徴として、任意の加入者基地局装置２からの受信レベルＲＳＳＩを測定し、測定結果をそのまま加入者基地局装置２に送信するようになっている。具体的には、任意の加入者基地局２からの受信レベルＲＳＳＩを測定し、測定結果をデジタル値に変換し、デジタル値をＡＣＫ情報などの通常のやりとりを行う下りフレームに含めて加入者基地局２に送信するようになっている。
【００２２】
ここで、基地局装置１から加入者基地局２に送信される下りフレームのフォーマットについて図２を使って説明する。図２は、本発明の無線アクセスシステムにおける基地局装置から送信される下りフレームのフォーマット図である。基地局装置１から加入者基地局２に送信される下りフレームは、図２に示すように、送信するデータを組み込むデータ部と、加入者基地局２からの受信レベルをデジタル変換により１６進の値としたＲＳＳＩレベルと、受信したデータを正しく受信したか否かを示すＡＣＫ情報とから構成されている。尚、データ部は無い場合もある。ここで、データ部とＡＣＫ情報の送信フレームは、従来から送信しているもので、本実施例では、データ部とＡＣＫ情報の送信フレームにＲＳＳＩレベルを組み入れて送信するものであり、ＲＳＳＩレベル送信のための特別なフレームを送信するわけではない。
【００２３】
加入者基地局（ＣＰＥ）２は、従来と同様に、基地局装置１と無線通信を行うものであるが、上り回線の送信電力制御に関しては、本発明の特徴として、基地局装置１から送信される受信レベルＲＳＳＩの測定結果に従い、基地局装置１で最適な受信レベルとなるように送信電力を調整するものである。具体的には、基地局装置１における最適な受信レベルを予め記憶しておき、基地局装置１から送信される受信レベルＲＳＳＩの測定結果と最適な受信レベルとの差分を求め、差分に応じて送信電力を調整して基地局装置１にデータを送信するようになっている。
【００２４】
ここで、本発明の無線アクセスシステムにおける加入者基地局２の構成について、図３を使って説明する。図３は、本発明の無線アクセスシステムにおける加入者基地局の構成ブロック図である。本発明の無線アクセスシステムにおける加入者基地局（ＣＰＥ）２は、図３に示すように、アンテナ２１と、可変ＡＴＴ(Attenuator)２３を有するＲＦ（Radio Frequency）部２２と、ＩＦ(Intermediate Frequency)部２４と、ベースバンド(Base band)部２５と、送信レベル設定手段２７を有する制御部２６とから構成されている。ここで、アンテナ２１とＲＦ部２２とＩＦ部２４と、ベースバンド部２５は請求項の受信手段に相当し、送信レベル設定手段２７が請求項の送信レベル設定手段に相当し、可変ＡＴＴ(Attenuator)２３が請求項の送信レベル制御手段に相当している。
【００２５】
次に、本発明の無線アクセスシステムにおける加入者基地局２を構成する各部について具体的に説明する。アンテナ２１は、基地局装置１と無線通信を行うもので、受信した無線信号を可変ＡＴＴ２３ｂに出力し、可変ＡＴＴ２３ａから入力した無線信号を送出するようになっている。
【００２６】
ＲＦ部２２は、無線高周波信号の送受信を行い、高周波信号と中間周波信号との周波数変換を行うもので、本発明の特徴部分である送信電力制御のための高周波信号の電力調整を行う可変ＡＴＴ２３ａと、可変ＡＴＴ２３ｂを有している。可変ＡＴＴ２３は、電気信号を減衰させるアッテネータであって、入力される設定位置に従って減衰率を変化させることができる一般的な可変アッテネータであり、可変ＡＴＴ２３ａは、ＩＦ部２４からの送信信号を高周波信号に変換した信号を減衰してアンテナ２１に出力するものであり、可変ＡＴＴ２３ｂは、アンテナ２１からの受信高周波信号を減衰してから中間周波への変換を行わせるものである。
【００２７】
ＩＦ部２４は、中間周波信号を扱う一般的なＩＦ部であり、ＲＦ部２２からの受信中間周波信号からベースバンド信号を取り出し、またベースバンド部２５からの送信ベースバンド信号を中間周波に変換してＲＦ部２２に出力するものである。
【００２８】
ベースバンド部２５は、ベースバンド信号の変調及び復調を行う一般的なベースバンド部であり、制御部２６から入力したデータをベースバンド信号に変調してＩＦ部２４に出力し、ＩＦ部２４から入力したベースバンド信号からデータを復調して制御部２６に出力するようになっている。
【００２９】
制御部２６は、従来からある加入者基地局２の制御を行うものであるが、本発明の特徴部分として、基地局装置１から送信される測定結果に従い、基地局装置１で最適な受信レベルとなるように送信電力を設定する送信レベル設定手段２７を有するものである。
【００３０】
送信レベル設定手段２７は、予め基地局装置１における最適な受信レベルを記憶しておき、基地局装置１から受信した受信レベル（ＲＳＳＩ）と予め記憶している基地局装置１における最適な受信レベルとの差分を求め、差分に応じて送信電力を調整するコントロール情報を生成するものである。
【００３１】
ここで、本発明の無線アクセスシステムにおける最適な受信レベルの領域について図４を使って説明する。図４は、本発明の無線アクセスシステムにおける最適な受信レベルの領域を示す説明図である。本発明の無線アクセスシステムにおける最適な受信レベルの領域は、図４に示すように、例えば、エラーフリーの領域が−８０〜−４０ｄＢｍの場合、加入者基地局２から送信する送信電力は、エラーが生じない程度のできるだけ小さな送信出力で送信することがセル内の干渉を小さくするために重要であるため、最適な受信レベルは−７０ｄＢｍ前後であるといえる。そこで、すべての加入者基地局２から基地局装置１にデータ送信する際に、基地局装置１における受信レベルが−７０ｄＢｍ前後になるように、加入者基地局２における送信レベルを調整するべく、各加入者基地局２の送信レベル設定手段２７で最適受信レベルとして−７０ｄＢｍを予め記憶しておくことになる。
【００３２】
次に、本発明の無線アクセスシステムの加入者基地局２の送信レベル設定手段２７における送信レベル設定処理の流れについて、図５を使って説明する。図５は、本発明の無線アクセスシステムの加入者基地局の送信レベル設定手段における送信レベル設定処理の流れを示すフローチャート図である。
【００３３】
本発明の無線アクセスシステムの加入者基地局の送信レベル設定手段における送信レベル設定処理は、基地局装置１から送信される下りフレームを受信する度に起動され、ベースバンド部２５からＲＳＳＩレベルを入力し（１００）、例えば変数Ｒに入力したＲＳＳＩレベルを格納し（１０２）、予め記憶している基地局装置１における最適受信レベルから変数Ｒを引いた値を変数Ｘに格納し（１０４）、変数Ｘの値から可変ＡＴＴ２３ａの減衰率を調整するレベル設定データを生成し（１０６）、レベル設定データを可変ＡＴＴ２３ａに出力し（１０８）、送信レベル設定処理を終了するようになっている。
【００３４】
次に、本発明の無線アクセスシステムにおける送信電力制御動作について、具体例も交えて説明する。本発明の無線アクセスシステムにおける送信電力制御動作は、各加入者基地局２において基地局装置１での最適受信レベルとして例えば−７０ｄＢｍが予め記憶されている。そして、任意の加入者基地局２から上り回線でデータが送信されると、基地局装置１で受信レベル（ＲＳＳＩ）が測定され、測定結果がデジタル値に変換されてＲＳＳＩレベルとして下りフレームに含まれて当該加入者基地局２に送信される。例えば、ある加入者基地局２が送信レベル０ｄＢｍで基地局装置１にデータを送信し、降雨・降雪等が発生したため回線品質劣化が発生し、基地局装置１でのＲＳＳＩ測定結果が−８０ｄＢｍであったとすると、下りフレームでＲＳＳＩレベル−８０ｄＢｍが送信されることになる。
【００３５】
加入者基地局２では、基地局装置１から送信された下りフレームがアンテナ２１で受信され、ＲＦ部２２、ＩＦ部２４、ベースバンド部２５を介して復調されて制御部２６に出力される。制御部２６の送信レベル設定手段２７では、下りフレームに含まれるＲＳＳＩレベルが入力され、予め記憶されている基地局装置１における最適な受信レベルから入力されたＲＳＳＩレベルが引かれ、その値から可変ＡＴＴ２３ａを調整するレベル設定データが生成され、レベル設定データが可変ＡＴＴ２３ａにへ出力され、可変ＡＴＴ２３ａにおける減衰率が変化して、送信電力が調整されるようになっている。
【００３６】
具体例で説明すると、基地局装置１からＲＳＳＩレベル−８０ｄＢｍを受け取ると、送信レベル設定手段２７で最適受信レベル（−７０ｄＢｍ）−ＲＳＳＩレベル（−８０ｄＢｍ）＝１０ｄＢｍの演算が行われ、この計算結果に従って、送信電力を１０ｄＢｍ上げるように可変ＡＴＴ２３ａの減衰率を調整するレベル設定データが生成されて可変ＡＴＴ２３ａに出力され、可変ＡＴＴ２３ａの減衰率変化して、送信電力が１０ｄＢｍ上げられて、次のデータは送信されるようになっている。
【００３７】
また、送信電力を上げた状態で回線状況が回復した時は、基地局装置１におけるＲＳＳＩ測定結果が−７０ｄＢｍより大きくなるので、加入者基地局２において受信したＲＳＳＩレベルを元に計算を行って、送信電力を下げる制御が行われるようになっている。
【００３８】
本発明の無線アクセスシステムにおける送信電力制御方法によれば、基地局装置１では、任意の加入者基地局２からの受信レベルＲＳＳＩを測定して、測定結果を加入者基地局２に送信し、加入者基地局２では、基地局装置１における最適な受信レベルを予め記憶しておき、基地局装置１から送信された受信レベルの測定結果と最適な受信レベルとの差分を求め、差分に応じて送信電力を調整して基地局装置１にデータを送信するので、基地局装置１側の負荷を軽減できる効果がある。
【００３９】
また、基地局装置１は、加入者基地局装置２からの受信レベルの測定結果をデジタル値に変換し、デジタル値のＲＳＳＩレベルをＡＣＫ情報を送信する下りフレームに組み入れて送信するので、わざわざＲＳＳＩレベル送信用のフレームを生成することなく、基地局装置１から加入者基地局２への伝送負荷を増すこと無くＲＳＳＩレベルを送信することができる効果がある。
【００４０】
また、加入者基地局２毎に基地局装置１における最適な受信レベルを予め設定して記憶しておき、基地局装置１から送信される受信レベルの測定結果と最適な受信レベルとの差分に応じて送信電力を調整して基地局装置１にデータを送信するので、伝送路の回線品質が異なる場合があっても、個々の加入者基地局２毎に最適受信レベルを設定することができ、回線状況に特化した送信電力制御を行うことができる効果がある。
【産業上の利用可能性】
【００４１】
本発明は、基地局装置側の負荷を軽減できる送信電力制御方法及び無線アクセスシステムに適している。
【図面の簡単な説明】
【００４２】
【図１】本発明の実施の形態に係る無線アクセスシステムのシステム構成図である。
【図２】本発明の無線アクセスシステムにおける基地局装置から送信される下りフレームのフォーマット図である。
【図３】本発明の無線アクセスシステムにおける加入者基地局の構成ブロック図である。
【図４】本発明の無線アクセスシステムにおける最適な受信レベルの領域を示す説明図である。
【図５】本発明の無線アクセスシステムの加入者基地局の送信レベル設定手段における送信レベル設定処理の流れを示すフローチャート図である。
【図６】従来の無線アクセスシステムのシステム構成図である。
【符号の説明】
【００４３】
１，１′…基地局装置（ＢＳＥ）、  ２、２′…加入者基地局（ＣＰＥ）、  ３…加入者局、  ２１…アンテナ、  ２２…ＲＦ部、  ２３ａ、２３ｂ…可変ＡＴＴ、  ２４…ＩＦ部、  ２５…ベースバンド部、  ２６…制御部、  ２７…送信レベル設定手段
【図１】
2008167500.tif 000003
【図２】
2008167500.tif 000004
【図３】
2008167500.tif 000005
【図４】
2008167500.tif 000006
【図５】
2008167500.tif 000007
【図６】
2008167500.tif 000008